(57)【要約】      （修正有）【課題】多種多様な意匠性と柔軟な触感を有し、ネックレス、ブレスレッドなどの装身具や衣類、バッグなどの装飾用として好適な装飾棒状体を提供する。【解決手段】衣服やバッグなどの装飾用に用いられ、織編された細幅の装飾テープ３を繊維糸状の引き揃え、撚糸、組紐などによる繊維集合体、あるいはゴムなどの棒状芯材２の外周に螺旋状に巻き付け、接着剤で固着したことを特徴とする。【選択図】図１
0003192119.tif 000002
【実用新案登録請求の範囲】
【請求項１】
装飾テープが芯材の周りを螺旋状に捲回し、接着剤により固着されていることを特徴とする装飾棒状体。
【請求項２】
前記接着剤がホットメルト接着剤であることを特徴とする請求項１記載の装飾用棒状体。
【請求項３】
前記芯材が棒状の樹脂、またはゴムからなることを特徴とする請求項１または２記載の装飾用棒状体。
【請求項４】
前記棒状体が接着剤により形状保持であることを特徴とする請求項１から３いずれか記載の装飾用棒状体。  
【請求項５】
前記芯材が繊維、フィルム、または皮革の中から選ばれた材料からなる棒状体であることを特徴とする請求項１または２記載の装飾用棒状体。
【考案の詳細な説明】
【技術分野】
【０００１】
本考案は、装飾棒状体に関し、さらに詳しくはネックレス、ブレスレット等の装身具、あるいは衣服やバッグ等の装飾用として好適な棒状体または紐状体に関するものである。
【背景技術】
【０００２】
装飾紐は用途に応じて機能や外観を重視した様々なものが提案されている。例えば、特開２００９−０３０１９５号公報（特許文献１）では伸縮性の芯材に一次カバーリング材、熱溶融糸、カバーリング材の順に巻き付けられた装飾紐が提案されている。
【０００３】
同装飾紐は伸縮機能を有し、ゴム紐の代用として有効であるが、外観においては糸状が芯材表面にカバーリングされているだけであるから単調であり、意匠性という点では乏しく、また、糸状により緻密にカバーリングされているために表面の触感が硬くなっており、肌に触れるネックレスなどには不向きである。
【０００４】
また、我々は紐状表面に網目柄を有したトーションレースを被覆し、網目柄模様を外観とした装飾紐を実願２０１１−００２３４４（特許文献２）で提案しているが、所詮トーションレースで可能な範囲の柄模様に限定され、多様なニーズにまでは対応し切れていない。
【０００５】
また、再公表２００９−０１６７５１（特許文献３）おいて、貴金属ボールなどの多数の粒状装飾体を複数列に配列された連結体を、芯材に捲回して接着された装飾帯状体が提案されており、表面に出現する貴金属からなる粒状装飾体により高級感を醸し出した装身具として有効であるが、原材料が高価であり、また、粒状装飾体を連結するなど非常に手間暇のかかる作業を要し、製造コストが高くなるのが欠点である。
【先行技術文献】
【特許文献】
【０００６】
【特許文献１】特開２００９−０３０１９５号公報
【特許文献２】実願２０１１-００２３４４号公報
【特許文献３】再公表２００９−０１６７５１
【考案の概要】
【考案が解決しようとする課題】
【０００７】
本考案は、上述した問題点を鑑みて解決しようとする課題は、変化に富んだ多様な意匠性と柔軟な触感を有し、装身具や衣類などの装飾用として有用な装飾棒状体を提供することにある。
【課題を解決するための手段】
【０００８】
本考案者が上記技術的課題を解決するために採用した手段を、添付図面を参照して説明すれば、次の通りである。
【０００９】
すなわち、本考案は、装飾テープが棒状の芯材の周りを螺旋状に捲回し、接着剤により固着されていることを特徴とする装飾棒状体。
【００１０】
また、前記接着剤としてホットメルト接着剤を採用するが出来る。
【００１１】
また、前記芯材として棒状の樹脂、またはゴムを採用するが出来る。
【００１２】
さらにまた、本考案の棒状体は接着剤により形状保持することが出来る。
【００１３】
また、前記芯材として繊維、フィルム、または皮革の中から選ばれた材料による棒状体を採用するが出来る。
【考案の効果】
【００１４】
本考案にあっては、衣服などの装飾に用いられていた装飾テープが棒状の芯材表面に巻かれているので、織編組織柄、色柄、糸使い、テープの幅などの組み合わせによって非常に変化に富んだ多様な意匠の外観が得られ、また、表面の触感においても織編物からなるテープが覆っているので柔軟であり、直接肌に触れても違和感のない装身具が可能となる。
【００１５】
また、芯材に比較的柔軟な繊維集合体や剛直な樹脂材料を用いることが出来、なかでも形状保持に有効な接着剤で外形を成すことによって元の形態に復元可能であるから、ネックレスやブレスレッドなどの装身具に好適な装飾棒状体が提供できる。
【００１６】
また、従来から衣服など用いられている装飾テープを芯材に巻き付けて接着するという簡単な製造工程であるから、製造コストが安価である。
【図面の簡単な説明】
【００１７】
【図１】本考案の装飾棒状体を説明するための斜視図である。
【図２】本考案の装飾棒状体をネックレックに用いた一例を示す正面図である。
【考案を実施するための形態】
【００１８】
本考案を実施するための形態を、具体的に図示した図１、２に基づいて説明する。図中符号１は本考案の装飾棒状体１であり、符号２は棒状の芯材２でその上から装飾テープ３が螺旋状に巻回被覆されている。
【００１９】
巻付ける装飾テープ３としては、織編を基本にして糸使い、組織、色柄などによる意匠性を持たせて、衣服やバッグ、あるいは包装などの装飾用の細幅テープを用いることが出来、さらには、フィルムをベースに意匠性を持たせた装飾フイルムテープなども用いることが出来る。
【００２０】
多種多様な意匠や幅が存在する装飾テープ３から選択することにより、消費者ニーズに合致し外観の装飾紐状体１の提供が可能となり、また、織編による装飾テープ３であれば柔軟性に富んでいるので、ソフトな表面触感となり、ネックレスやブレスレッドのように肌に直接接触しても違和感がなく愛用される。
【００２１】
図1では、一つ装飾テープ３を用い、棒状芯材２の表面を螺旋状に巻き付けた本考案の一例を示しているが、色柄あるいは材料の異なった２つの装飾テープ３、あるいは装飾テープ３と他の糸状等を並べて二重螺旋に巻き付けることも出来、そうすることで更に変化に富んだ意匠性を発揮させることが出来る。
【００２２】
螺旋状の巻き付け方としては、隙間なく連続して巻き付けても良いが、棒状芯材２と巻き付ける装飾テープ３の選択によっては、所定の間隔を空けながら巻き付けて意匠効果を発揮させることもできる。
【００２３】
また、巻き付ける方法としては、棒状芯材２が比較的硬直な材料の場合は、棒状芯材２を一定軸回転させ、装飾テープ３を紐状芯材２に沿わせながら軸方向に螺旋状に巻き付けることが出来、棒状芯材２が比較的に柔軟な繊維状の材料については、棒状芯材２に剛直なワイヤを並行して添えて巻き付け作業後に抜き取るか、あるいは棒状芯材２を引っ張り緊張させた状態でセットして回転させれば良い。
【００２４】
紐状芯材２とその表面に巻き付けられた装飾テープ３の間には接着剤が介在して接着されており、接着剤の種類は特に限定されないが、なかでも接着後においても柔軟性を維持し、装飾テープ３の表面に滲み出ず、短時間で接着可能な熱可塑樹脂からなるホットメルト接着剤を用いるのが好ましい。
【００２５】
ホットメルト接着剤としては、シリコーン樹脂、ナイロン樹脂、ポリエステル樹脂、ポリウレタン樹脂、塩化ビニル樹脂などの熱可塑性樹脂を使用することが出来、なかでも共重合による低融点化された熱可塑性樹脂であると、低温度で短時間に接着させることが出来、生産効率の点からも好ましい。
【００２６】
また、接着方法としては、前記熱可塑性樹脂と紐状芯材２が別々の射出口から同時に射出され、接着剤が液状の内に、その上から装飾テープ３を螺旋状に巻き付けた後、熱可塑性樹脂接着剤の融点以上に熱風ヒータなどで加熱すれば簡単に接着させることが可能である。
【００２７】
棒状芯材２の材料としては、鞘を繊維状であれば、ポリエステル樹脂、ポリアミド樹脂、塩化ビニル樹脂、ポリエチレン樹脂、アクリル樹脂、ポリウレタン樹脂、アラミド樹脂、シリコーン樹脂、天然ゴム、磁力性樹脂、ガラス、金属などを棒状に成形されたものを用いることが出来、剛直で形状が安定し、耐久性のある装飾棒状体１が得られる。
【００２８】
また、装飾テープ３を螺旋状に巻き付ける際に、さらに回転を加える事で、棒状体自身が螺旋状に形状保持される、予めネックレスやブレスレッドなどの装身具に適した形状に保持させておけば、装着の際に形状が変形しても元の形状に復元する点から好ましい材料である。
【００２９】
棒状芯材２の断面形状は円形、楕円形、あるいは多角形、中空状のチューブ体、綿棒状体など種々の形を採ることができ、身体への装着品においては円形や楕円形の方が身体への接触時の違和感が少ないので好ましい。また、断面直径や長さに関しては用途により適宜決めればよいものである。
【００３０】
また、装飾テープ３の材料としては、布帛、編物から繊維糸状の引き揃え、撚糸、組紐などのような繊維の集合体、あるいはフィルムのスリット体の集合体や布帛、皮革のスリットなどを用いることができ、中でも繊維集合体であると柔軟性に富み、複雑な形状に馴染み易いので、身に着けて違和感のない装身具、あるいは衣服やバッグなどの装飾用としても幅広い用途に使用することが出来、好ましい態様である。
【００３１】
図２は本考案の装飾紐体１の一実施例を示したもので、装飾紐体１の両端に連結用マグネット４ａ、４ｂを装着したネックレスの装身具で、図に示していないが、多種多様な装飾テープの意匠を外観に表現させることができる。
【符号の説明】
【００３２】
１：本考案の装飾紐状体
２：棒状芯材
３：装飾テープ
４ａ、４ｂ：連結用マグネット
【図１】
0003192119.tif 000003
【図２】
0003192119.tif 000004
【手続補正書】
【提出日】平成26年5月27日(2014.5.27)
【手続補正１】
【補正対象書類名】実用新案登録請求の範囲
【補正対象項目名】全文
【補正方法】変更
【補正の内容】
【実用新案登録請求の範囲】
【請求項１】
装飾テープが芯材の周りを螺旋状に捲回し、接着剤により固着されていることを特徴とする装飾棒状体。
【請求項２】
前記接着剤がホットメルト接着剤であることを特徴とする請求項１記載の装飾用棒状体。
【請求項３】
前記芯材が棒状の樹脂、またはゴムからなることを特徴とする請求項１または２記載の装飾用棒状体。  
【請求項４】
前記芯材が繊維、フィルム、または皮革の中から選ばれた材料からなる棒状体であることを特徴とする請求項１または２記載の装飾用棒状体。